(57)【特許請求の範囲】
【請求項１】
モジュール組立体ハウジングと、第１の光学ポートを有する第１のフェースプレートと、前記第１のフェースプレートに強固に取り付けられ、装置によって分析されるべき試料を受け入れるよう構成された分析部であって、この試料は前記第１の光学ポートを介して前記分析部に導入された光を減衰させる、前記分析部と、を含むモジュール組立体と、
本体ハウジングと、第２の光学ポートを有する第２のフェースプレートと、前記第２のフェースプレートに強固に取り付けられたエンジン部であって、前記第１の光学ポートおよび前記第２の光学ポートを介して前記分析部へと通過する前記光を生成するエンジン部と、を含む本体と、
を備える装置であって、
前記第２のフェースプレートに取り付けられた第１の位置合わせピンと、前記第２のフェースプレートに取り付けられた第２の位置合わせピンと、前記第１のフェースプレート内の第１の穴と、前記第１のフェースプレート内の第２の穴と、をさら備え、前記本体が前記モジュール組立体に取り付けられる際に、前記第１の位置合わせピンが、前記第１の穴に嵌り込み、前記第２の位置合わせピンが、前記第２の穴と嵌り込む、装置。
【請求項２】
前記エンジン部が前記光を生成する干渉計を含む、請求項１に記載の装置。
【請求項３】
１つまたは複数の緩衝台をさらに備え、前記１つまたは複数の緩衝台によって、前記分析部および前記第１のフェースプレートが、前記モジュール組立体ハウジングの動きとは独立した単一の機械的装置として動くことが可能になる、請求項１に記載の装置。
【請求項４】
１つまたは複数の緩衝台をさらに備え、前記１つまたは複数の緩衝台によって、前記エンジン部および前記第２のフェースプレートが、前記本体ハウジングの動きとは独立した単一の機械的装置として動くことが可能になる、請求項１に記載の装置。
【請求項５】
前記第１のフェースプレートに取り付けられた第１のハードストップと、前記第２のフェースプレートに取り付けられた第２のハードストップと、をさらに備え、前記本体が前記モジュール組立体に取り付けられる際に、前記第１のハードストップが、前記第２のハードストップに接触する、請求項１に記載の装置。
【請求項６】
前記第１のハードストップが、丸みのあるヘッドを含み、前記第２のハードストップが、平坦であるヘッドを含む、請求項５に記載の装置。
【請求項７】
前記第１の位置合わせピンが、ダイヤモンドピンである、請求項１に記載の装置。
【請求項８】
前記第２の位置合わせピンが、丸形ピンである、請求項７に記載の装置。
【請求項９】
前記第１のフェースプレートを取り囲むシールであって、前記第１のフェースプレートを前記モジュール組立体ハウジングの振動から遮断するシールをさらに備える、請求項１に記載の装置。
【請求項１０】
前記シールが、汚染物質が前記モジュール組立体に入り込むのをさらに防ぐ、請求項９に記載の装置。
【請求項１１】
前記第２のフェースプレートを取り囲むシールであって、前記第２のフェースプレートを前記本体ハウジングの振動から遮断するシールをさらに備える、請求項１に記載の装置。
【請求項１２】
前記シールが、汚染物質が前記本体に入り込むのをさらに防ぐ、請求項１１に記載の装置。
【請求項１３】
前記第１のフェースプレート内に凹ませて形成されたレンズ組立体と、前記レンズ組立体を取り囲むシールと、をさらに備える、請求項１に記載の装置。
【請求項１４】
前記シールが、オーリングシールである、請求項１３に記載の装置。
【請求項１５】
前記第２のフェースプレート内に凹ませて形成されたレンズ組立体と、前記レンズ組立体を取り囲むシールと、をさらに備える、請求項１に記載の装置。
【請求項１６】
前記シールが、オーリングシールである、請求項１５に記載の装置。
【発明の詳細な説明】
【技術分野】
【０００１】
連邦政府による資金提供を受けた研究開発の下でなされた発明に対する権利に関する記載
本発明は、ピカティニー・アーセナル（Ｐｉｃａｔｉｎｎｙ  Ａｒｓｅｎａｌ）との兵器技術イニシアティブ合意（Ｏｒｄｎａｎｃｅ  Ｔｅｃｈｎｏｌｏｇｙ  Ｉｎｉｔｉａｔｉｖｅ  Ａｇｒｅｅｍｅｎｔ）の一部として授与された兵器技術基本合意（Ｏｒｄｎａｎｃｅ  Ｔｅｃｈｎｏｌｏｇｙ  Ｂａｓｅ  Ａｇｒｅｅｍｅｎｔ）番号第２００９−３９６号、ＢＲＧ−０１１に関する兵器技術イニシアティブ合意（Ｏｒｄｎａｎｃｅ  Ｔｅｃｈｎｏｌｏｇｙ  Ｉｎｉｔｉａｔｉｖｅ  Ａｇｒｅｅｍｅｎｔ）番号第１号の下で、政府の支援を得て行われたものである。政府は本発明における一定の権利を有する。
【発明の概要】
【課題を解決するための手段】
【０００２】
本明細書に組み込まれ、本明細書の一部を構成する添付の図面は、本明細書に記述される１つまたは複数の実施形態を図示するものであり、これらの実施形態を記述するとともに、説明するものである。
【図面の簡単な説明】
【０００３】
【図１】図１は、モジュール型蒸気検出識別装置（ＭＶＤＩ：Ｍｏｄｕｌａｒ  Ｖａｐｏｒ  Ｄｅｔｅｃｔｏｒ  ａｎｄ  Ｉｄｅｎｔｉｆｉｅｒ）の一例の第１の図を示す。
【図２】図２は、ＭＶＤＩの第２の図を示す。
【図３】図３は、ＭＶＤＩの分析モジュール組立体の図を示す。
【図４】図４は、ＭＶＤＩの本体の図を示す。
【図５】図５は、ＭＶＤＩの右側の一部を切り取った図を示す。
【図６】図６は、ＭＶＤＩの底側の一部を切り取った図を示す。
【図７Ａ−Ｄ】図７Ａ〜Ｄは、ＭＶＤＩの例示的実施形態のブロック図を示す。
【発明を実施するための形態】
【０００４】
以下、添付の図面に関して詳細に説明する。複数の図面における同一の参考番号は、同一または同様の要素であるとみなしてもよい。また、以下の詳細な説明は、本発明を限定するものではない。
【０００５】
図１は、モジュール型蒸気検出識別装置（ＭＶＤＩ）１００の一例の第１の図を示す。図１を参照すると、ＭＶＤＩ１００は、本体４００およびモジュール組立体３００を含み得る携帯型のフーリエ変換赤外（ＦＴＩＲ：Ｆｏｕｒｉｅｒ−ｔｒａｎｓｆｏｒｍ  ｉｎｆｒａｒｅｄ）分光計であってもよい。モジュール組立体３００の実施形態は、ＭＶＤＩ１００のユーザーの必要に応じて入れ替えおよび交換が可能であってもよい。
【０００６】
ＭＶＤＩ１００に適切なモジュール組立体３００を取り付けて、空気中の蒸気、エアロゾル、エマルジョン、揮発性液体または粉体、安定な液体および粉体、および固体など種々の形態の物質に関する複数の化学分析を行ってもよい。物質に関連しているＦＴＩＲスペクトルには、その物質に含有される化合物の特定の震動遷移および回転遷移に関連する特徴が含まれ得る。選択的に化合物を識別して、物質中に存在し得る化合物の量を定量化するために使用され得る「指紋」として、この化学的特定情報を使用してもよい。
【０００７】
本体４００には、インターフェース／表示部１５０、取手１６０、レバー１２４、ベース１２６、および電池収納部１７０が含まれ得る。インターフェース／表示部１５０には、出力装置１５２および入力装置１５４が含まれ得る。出力装置１５２には、ＭＶＤＩ１００からの情報を出力するためのインターフェースが含まれ得る。情報は、例えば、ＭＶＤＩによって実行される分析、動作に関する情報（例えば動作メニュー）および／またはそれ以外の情報と関連していてもよい。出力装置１５２には、液晶表示（ＬＣＤ：ｌｉｑｕｉｄ  ｃｒｙｓｔａｌ  ｄｉｓｐｌａｙ）装置、発光ダイオード（ＬＥＤ：ｌｉｇｈｔ−ｅｍｉｔｔｉｎｇ  ｄｉｏｄｅ）表示装置および／または情報を表示するために使用され得るそれ以外の表示装置が含まれ得る。
【０００８】
入力装置１５４には、ＭＶＤＩ１００に情報を入力するためのインターフェースが含まれ得る。情報には、例えば、メニュー選択、データ、および／またはＭＶＤＩ１００に入力され得るそれ以外の情報が含まれ得る。入力装置１５４には、ボタン、メンブレンスイッチ、キー、タッチパッド、キーボード、および／または情報を入力するために使用され得るそれ以外の装置が含まれ得る。
【０００９】
取手１６０を使用して、ＭＶＤＩ１００を持ち運び可能な携帯型の装置としてもよい。取手１６０を本体４００に配置して、ＭＶＤＩ１００の装置のバランスが良くなるようにしてもよい。例えば、モジュール組立体３００が取手の下で本体４００に付着するように取手を本体４００に配置して、（例えば、取手を使用して取り扱う際に、装置がどちらか一方に傾くのを防ぐなど）運搬時のＭＶＤＩ１００の全体のバランスを保つようにしてもよい。電池収納部１７０には、ＭＶＤＩ１００に電力を供給するために使用され得る電池を固定するための設備が含まれ得る。
【００１０】
ＭＶＤＩ１００には、モジュール組立体３００を本体４００と固定する（例えば固着する）ための設備が含まれ得る。この設備には、例えば、ＭＶＤＩ１００の両側に存在し得るラッチ機構などの、固着機構が含まれ得る。使用され得るラッチ機構の例としては、圧縮ラッチ、ドローラッチ（例えば、ドローフックラッチ）、押し閉じ式ラッチ、爪ラッチ、および／またはそれ以外のラッチ機構などが挙げられる。
【００１１】
固着機構には、例えば、保持部１２２、ベース１２６、およびレバー１２４が含まれ得る。ベース１２６を使用して、レバー１２４を本体４００に取り付けてもよい。レバー１２４を保持部１２２に取り付けて、モジュール組立体３００を本体４００と固定してもよい。保持部１２２およびベース１２６にキー溝を形成して、保持部１２２とベース１２６との間の位置合わせできるようにしてもよい。
【００１２】
図２は、ＭＶＤＩ１００の第２の図を示す。図２を参照すると、本体４００には、ベース１２６を本体４００に固定するための合わせ面２２０が含まれ得る。この合わせ面２２０は、凹ませて形成してもよい。チャンネル２３０は、モジュール組立体３００を本体４００と位置合わせするための大まかなガイドを行うことができる。チャンネル２３０は、合わせ面２２０よりも凹ませて形成してもよい。モジュール組立体３００には、チャンネル２３０に嵌合可能なタブ２４０が含まれ得る。本体４００には、両側に別個の合わせ面２２０およびチャンネル２３０が含まれ得ることに留意されたい。またモジュール組立体３００には、両側にタブ２４０が含まれ得ることにも留意されたい。
【００１３】
図３は、モジュール組立体３００の図を示す。図３を参照すると、モジュール組立体３００には、キー３１０、シール３５０、フェースプレート３６０、レンズ組立体３７０、電気コネクタ３８０、およびハウジング（モジュール組立体ハウジング）３９０が含まれ得る。
【００１４】
キー３１０は、ハウジング３９０に取り付けられ、モジュール組立体３００を本体４００と大まかに位置合わせするために使用してもよい。さらに、モジュール組立体３００を本体４００に取り付ける際に、キー３１０は、モジュール組立体３００を戴置することができる。
【００１５】
電気コネクタ３８０は、モジュール組立体３００と本体４００との間で転送され得る電気信号を接続することができる。これらの電気信号には、様々なデジタル信号、アナログ信号、および／または動力信号が含まれ得る。動力信号は、例えば、本体４００に含まれ得る電池によって供給されてもよい。
【００１６】
ハウジング３９０は、モジュール組立体３００の内容物を収容するのに使用され得る組立体であってもよい。ハウジング３９０は、ただ１つの部品であってもよいし、あるいは複数の部品が含まれてもよい。ハウジングは、モジュール組立体３００の堅牢性および／または携帯性に適応可能な軽量の耐衝撃材料（例えば耐衝撃性プラスチック）から作られていてもよい。
【００１７】
フェースプレート３６０には、位置合わせ穴３６４および３６６、ならびにハードストップ３６２ａ〜ｃが含まれ得る。位置合わせ穴３６４および３６６にキー溝を形成して、本体４００上に含まれ得る位置合わせピンを収容してもよい。さらに以下に説明されるように、モジュール組立体３００を本体４００に取り付ける際に、位置合わせ穴３６４および３６６を位置合わせピンと組み合わせて使用して、モジュール組立体３００と本体４００との間の細かい（例えば、正確な）位置合わせを行ってもよい。
【００１８】
ハードストップ３６２ａ〜ｃは、ハードストップが本体４００と接触する点を限定することができる。ハードストップ３６２ａ〜ｃには、フェースプレート３６０に強固に（例えば、ボルトを押し込んで）取り付け可能なボルトが含まれ得る。これらのボルトには、本体４００のフェースプレートに関連して同様に配置される平坦で滑らかなヘッドのハードストップに接触し得る、円形の滑らかなヘッドが含まれ得る。本体４００のフェースプレートについて、以下でさらに詳細に議論する。
【００１９】
シール３５０は、フェースプレート３６０とハウジング３９０との間に配置してもよい。シール３５０は、フェースプレート３６０を取り囲み、このシール３５０を使用して、汚染物質がフェースプレート３６０を介してモジュール組立体３００に入り込むのを防いでもよい。さらに、シール３５０は、フェースプレート３６０が動きやすく、かつフェースプレート３６０がハウジング３９０とは独立して移動可能であるように、曲げやすさを有してもよい。したがって、シール３５０によって、フェースプレート３６０とハウジング３９０との間で機械による振動を遮断してもよい。
【００２０】
モジュール組立体３００には、モジュール組立体３００に向かう光および／またはモジュール組立体３００から来る光を通過させるための光学ポートが含まれ得る。例えばレンズ組立体３７０のようなレンズ組立体を使用して、光学ポートを実装してもよい。レンズ組立体３７０には、光（例えば赤外線光）をモジュール組立体３００との間で行き来させることが可能な、光学窓３７４ａ〜ｂ（例えばレンズ）が含まれ得る。レンズ組立体３７０は、フェースプレート３６０内に凹ませて形成してもよい。シール３７６でレンズ組立体３７０を取り囲んでもよい。シール３７６は、シール３７６を収容するレンズ組立体３７０の溝に嵌合可能なオーリングシールであってもよい。
【００２１】
締め具３７２ａ〜ｂを使用してレンズ組立体３７０をフェースプレート３６０に取り付けてもよい。締め具３７２ａ〜ｂは、フェースプレート３６０に（例えば、ねじを締め込んで）取り付けられるねじ（例えば平頭六角ねじ）であってもよい。締め具３７２ａ〜ｂは、フェースプレート３６０内に凹ませて形成してもよい。締め具３７２ａ〜ｂには、レンズ組立体３７０の上にわずかに重なって、レンズ組立体３７０をフェースプレート３６０に対して保持し得るヘッドが含まれ得る。
【００２２】
図４は、本体４００の図を示す。本体４００には、ガイド４１０、シール４５０、フェースプレート４６０、光学ユニット４７０、電気コネクタ４８０、およびハウジング（本体ハウジング）４９０が含まれ得る。
【００２３】
電気コネクタ４８０は、モジュール組立体３００と本体４００との間で転送し得る電気信号が接続できるようにしてもよい。これらの電気信号には、様々なデジタル信号、アナログ信号、および／または動力信号が含まれ得る。これらの電力信号は、例えば、本体４００の電池収納部１７０（図１参照）内に含まれ得る電池によって供給してもよい。モジュール組立体３００を本体４００に取り付ける際には、電気コネクタ４８０は、電気コネクタ３８０と噛み合わせることができる。
【００２４】
ハウジング４９０は、本体４００の内容物を収容することができる。ハウジング４９０は、ただ１つの部品であっても、複数の部品が含まれてもよい。ハウジングは、本体４００の堅牢性および／または携帯性に適応可能な軽量の耐衝撃材料（例えば耐衝撃性プラスチック）から作られていてもよい。
【００２５】
フェースプレート４６０には、位置合わせピン４６４および４６６、ならびにハードストップ４６２ａ〜ｃが含まれ得る。位置合わせピン４６４は、位置決めのために、例えば、１つの軸方向側にのみ逃げ角を設けたダイヤモンドピンであってもよい。位置合わせピン４６６は、位置決めのために、例えば、２つの軸方向側に逃げ角を設けた丸みを帯びたピンであってもよい。モジュール組立体３００を本体４００に取り付ける際には、位置合わせピン４６４は穴３６４と一対をなし、位置合わせピン４６６は、穴３６６と一対をなすことができる。位置合わせ穴３６４および３６６を切削して、それぞれが対応するピン４６４および４６６の形状に適応させ、ピン４６４および４６６と協働して、モジュール組立体３００を本体４００に取り付ける際に、モジュール組立体３００と本体４００との間の細かい位置合わせを行うことができる。
【００２６】
ハードストップ４６２ａ〜ｃは、ハードストップがモジュール組立体３００と接触する点を限定することができる。ハードストップ４６２ａ〜ｃには、フェースプレート４６０に取り付け可能なボルトが含まれ得る。これらのボルトには、モジュール組立体３００を本体４００に取り付ける際に、同様に配置されるハードストップ３６２ａ〜ｃのヘッドに接触可能な平坦で滑らかなヘッドが含まれ得る。
【００２７】
シール４５０は、フェースプレート４６０とハウジング４９０との間に配置してもよい。シール４５０は、フェースプレート４６０を取り囲んでもよい。シール４５０を使用して、汚染物質がフェースプレート４６０を介して本体４００に入り込むのを防いでもよい。さらに、シール４５０は、フェースプレート４６０が動きやすく、かつフェースプレート４６０がハウジング４９０とは独立して移動可能であるように、曲げやすさを有してもよい。したがって、シール４５０によって、フェースプレート４６０とハウジング４９０との間で機械による振動を遮断してもよい。
【００２８】
本体４００には、本体４００に向かう光および／または本体４００から来る光を通過させるための光学ポートが含まれ得る。例えば、レンズ組立体４７０のようなレンズ組立体を使用して、光学ポートを実装してもよい。レンズ組立体４７０には、光を本体４００との間で行き来させることを可能にし得る、光学窓４７４ａ〜ｂ（例えばレンズ）が含まれ得る。レンズ組立体４７０は、フェースプレート４６０内に凹ませて形成してもよい。シール４７６でレンズ組立体４７０を取り囲んでもよい。シール４７６は、レンズ組立体４７０の溝に嵌合可能なオーリングシールであってもよい。
【００２９】
締め具４７２ａ〜ｂを使用して、レンズ組立体４７０をフェースプレート４６０に取り付けてもよい。締め具４７２ａ〜ｂは、フェースプレート４６０に（例えば、ねじを締め込んで）取り付けられるねじ（例えば平頭六角ねじ）であってもよい。締め具４７２ａ〜ｂは、フェースプレート４６０内に凹ませて形成してもよい。締め具４７２ａ〜ｂには、レンズ組立体４７０の上にわずかに重なって、レンズ組立体４７０をフェースプレート４６０に対して保持し得るヘッドが含まれ得る。
【００３０】
図５は、ＭＶＤＩ１００の右側の一部を切り取った図を示す。図５を参照すると、本体４００には、エンジン部５１０が含まれ得る。また、モジュール組立体３００には、分析部５２０が含まれ得る。エンジン部５１０には、例えば、レンズ組立体４７０および３７０を介して分析部５２０を通り抜ける赤外線光源を生成可能な干渉計が含まれ得る。光源は、分析部５２０で減衰されてもよい。また、減衰された光源は、レンズ組立体４７０および３７０を介してエンジン部５１０に戻ってもよい。エンジン部５１０には、減衰された光源を検出し、分析するとともに、出力装置１５２（図１参照）に１つまたは複数の結果を提供するためのロジック（例えばハードウェア、ソフトウェア）が含まれ得る。エンジン部５１０には、入力装置１５４によって提供され得る入力を処理するためのロジックが含まれてもまたよい。
【００３１】
エンジン部５１０は、フェースプレート４６０（図４参照）に取り付け可能なハウジング５１４に封入されてもよい。締め具（例えばねじ）を使用してハウジング５１４をフェースプレート４６０に強固に取り付けて、エンジン部５１０およびフェースプレート４６０を単一の機械的装置として動作させてもよい。緩衝台５１２ａ〜ｄを介してハウジング５１４を本体ハウジング４９０に取り付けて、エンジン部５１０およびフェースプレート４６０が、本体ハウジング４９０の動きとは独立して動く単一の機械的装置として動くようにしてもよい。
【００３２】
同様に、分析部５２０は、フェースプレート３６０（図３参照）に取り付け可能なハウジング５２４に封入されてもよい。締め具を使用してハウジング５２４をフェースプレート３６０に強固に取り付けて、分析部５２０およびフェースプレート３６０を、単一の機械的装置として動作させてもよい。緩衝台５２２ａ〜ｄを介してハウジング５２４をモジュール組立体ハウジング３９０に取り付けて、分析部５２０およびフェースプレート３６０が、モジュール組立体ハウジング３９０の動きとは独立して動く単一の機械的装置として動くようにしてもよい。
【００３３】
図６は、ＭＶＤＩ１００の底側の一部を切り取った図を示す。図６を参照すると、モジュール組立体３００では、緩衝台５２２には、ステム６１４、緩衝器６１２、および締め具６１０が含まれ得る。ステム６１４は、モジュール組立体ハウジング３９０と同一の材料から作られても、モジュール組立体ハウジング３９０の一部として成型されてもよい。緩衝器６１２は、衝撃を吸収することができ、分析部５２０がモジュール組立体ハウジング３９０とは独立して動くことが可能であるように柔軟な材料から作られてもよい。締め具６１０を使用して、分析部５２０を緩衝台５２２に固定してもよい。
【００３４】
本体４００では、緩衝台５１２には同様にステム６４４、緩衝器６４２、および締め具６４０が含まれ得る。ステム６４４は、本体ハウジング４９０と同一の材料から作られても、本体ハウジング４９０の一部として成型されてもよい。緩衝器６４２は、衝撃を吸収することができ、エンジン部５１０が本体ハウジング４９０とは独立して動くことが可能であるように柔軟な材料から作られてもよい。締め具６４０を使用して、エンジン部５１０を緩衝台５１２に固定してもよい。
【００３５】
キー３１０を、ガイド４１０へと摺動させて、モジュール組立体３００および本体４００の大まかな位置決めを行うことができる。ピン４６４の位置を穴３６４の位置に合わせ、ピン４６６の位置を穴３６６の位置に合わせることによって、細かい位置決めを実現することができる。モジュール組立体３００の本体４００への取り付けには、ハードストップ３６２ａ〜ｃが、それぞれが対応するハードストップ４６２ａ〜ｃに接触するようにハードストップ３６２ａ〜ｃをハードストップ４６２ａ〜ｃと係合させることが含まれ得る。上述したような固着機構を使用して取り付けられたモジュール組立体３００および本体４００を固定してもよい。
【００３６】
モジュール組立体３００を本体４００に取り付けることにより、ハードストップ３６２ａ〜ｃおよび４６２ａ〜ｃに適切な圧力が加えられることで、フェースプレート３６０および４６０を、モジュール組立体ハウジング３９０および／または本体ハウジング４９０の動きとは独立して動く単一の機械的装置として動作させることができる。取り付けられたモジュール組立体３００を本体４００と固定するのに使用され得る固着機構を使用して、圧力を加えてもよい。
【００３７】
フェースプレート３６０および４６０を単一の機械的装置として動作させることにより、次にエンジン部５１０および分析部５２０は、それぞれが対応するフェースプレート４６０および３６０に強固に取り付けることができるので、エンジン部５１０および分析部５２０を、単一の機械的装置として動作させることができるようになる。緩衝台５１２ａ〜ｄ、５２２ａ〜ｄおよびシール３５０、４５０と組み合わせて単一の機械的装置として動作するエンジン部５１０および分析部５２０により、エンジン部５１０および分析部５２０が、位置合わせを維持して、モジュール組立体ハウジング３９０および／または本体ハウジング４９０とは独立して動作することが可能になる。したがって、ハウジング３９０および４９０のいずれか一方から生じ得る振動が、エンジン部５１０および分析部５２０と連成するおそれがない。
【００３８】
図７Ａ〜Ｄは、ＭＶＤＩ１００の例示的実施形態のブロック図を示す。図７Ａ〜Ｄを参照すると、点線は、ＭＶＤＩ１００を通って移動する光の経路を示す。本体４００には、エンジン部５１０および電池７１０が含まれ得る。電池７１０を使用して、ＭＶＤＩ１００に電力を供給してもよい。エンジン部５１０には、光源を供給可能な赤外干渉計が含まれ得る。光は、光源からレンズ組立体４７０および３７０を介してモジュール組立体３００へと移動することができる。光は、モジュール組立体３００で減衰されてもよい。また、減衰された光は、レンズ組立体４７０および３７０を介してエンジン部５１０に含まれ得る検出器へと誘導されてもよい。
【００３９】
図７Ａは、モジュール組立体３００に気相分光測定セル７４０が含まれ得る、例示的な１つの実施形態を示す。気相分光測定セル７４０には、例えば、ホワイトセルなどの、多重光路であり、かつ長光路の反射セルが含まれ得る。セル７４０は、分析部５２０に含まれ得る。適切な背景が得られた後に、分析されるべき空気または蒸気が、能動的なポンプ動作、対流、および／または拡散によってセル７４０へと取り込まれ得る。ポンプ７３０によって、空気または蒸気をセル７４０へ取り込みやすくしてもよい。
【００４０】
図７Ｂは、セル７４０の前に、分析部５２０にさらに含まれ得る装置一式７５０（例えば、蒸気前処理濃縮器、スワブ試料の加熱／脱離装置）が設けられる例示的な１つの実施形態を示す。装置一式７５０は、大量の空気またはガスから分析物を吸収することができる。その後分析物は、熱溶出および／または別の方法でセル７４０へ溶出されてもよい。
【００４１】
図７Ａ〜Ｂに示される実施形態を使用して、薬品蒸気をｐｐｍレベルで検出し、識別することができる。図７Ａに示される実施形態は、周囲環境を直接分析するのに対して、装置一式７５０を追加することにより、例えば、分析されている化合物の性質によっては、検出下限を１桁以上下げることができる。
【００４２】
ここで図７Ｃを参照すると、分析されている蒸気が低容積に濃縮され得る場合、あるいは分析物の蒸気レベルが比較的高い場合には、分析部５２０には、セル７４０の代わりに使用可能な中空導波管７７０が含まれ得る。反射体７８０（例えば鏡）が、分析部５２０に含まれてもまたよい。反射体７８０を使用して、減衰された光をエンジン部５１０に含まれる検出器へと反射させてもよい。
【００４３】
図７Ｄでは、内反射体（ＩＲＥ：ｉｎｔｅｒｎａｌ  ｒｅｆｌｅｃｔｉｏｎ  ｅｌｅｍｅｎｔ）が、分析部５２０に含まれ得る。ＩＲＥをセル７４０または導波管７７０の代わりに使用してもよい。試料をＩＲＥに直接押し当てて、液体および固体の減衰全内部反射スペクトルを得てもよい。減衰された光は、分析部５２０に含まれ得る反射素子７９０ａ〜ｂを使用して検出を行うために、エンジン部５１０へ戻るように誘導されてもよい。
【００４４】
なお、本明細書に記述されるどの実施形態においても、本体には、（フーリエ変換分光計などの）分光計が含まれ得る。また、モジュール組立体には、試料セルが含まれ得る。さらに、「携帯型」とは、本明細書に記述される実施形態に関連し得る様々な属性を指してもよいことに留意されたい。これらの属性には、例えば、重量、物理的な寸法、および／または電源が含まれ得る。例えば、携帯型であるとは、重量が１０キログラム（ｋｇ）未満である実施形態を含み得る。より一般的には５ｋｇ、２ｋｇ、１ｋｇ未満、さらには０．５ｋｇまたは０．２ｋｇ未満である実施形態をも含み得る。さらに、携帯型であるとは、寸法が５０センチメートル（ｃｍ）未満、さらには３０ｃｍ未満である実施形態をも含み得る。また、寸法のうちの１つ（厚さ）は、１０ｃｍまたは５ｃｍまたは３ｃｍ未満であってもよい。さらに、携帯型であるとは、通常、上記の寸法内に適合し、かつ、上記の重量に含まれる電池で動力が供給される実施形態を含み得る。本明細書に記述される実施形態には、電池以外の電源からの電力を補助するための設備が含まれ得ることに留意されたい。例えば、別個の電源を設けて１つの実施形態に接続させて、その実施形態に電力を供給してもよい。
【００４５】
前述の実施形態の記述は、例示および説明を意図するものであって、網羅的、すなわち開示される厳密な形態に本発明を限定することを意図するものではない。変更および変形が、上記教示に鑑みて可能であり、または本発明の実施から取得し得る。
【００４６】
本明細書で使用したいかなる要素、動作、あるいは命令も、そのようなものであると明記されない限り、本発明にとって不可欠なもの、または本質的なものであると解釈すべきではない。また、本明細書で使用する場合、冠詞「ａ（１つの）」は、１つまたは複数の項目を含むことが意図される。ただ１つのものを示す場合には用語「ｏｎｅ（１つの）」またはこれに類する言葉を使用している。さらに、「〜に基づいて（ｂａｓｅｄ  ｏｎ）」という句は、特に明記しない限り、「少なくとも一部は〜に基づいて（ｂａｓｅｄ，  ａｔ  ｌｅａｓｔ  ｉｎ  ｐａｒｔ，ｏｎ）」を意味することが意図される。
【００４７】
本発明は、上記で開示された特定の実施形態に限定されるものではなく、本発明は、以下の添付の特許請求の範囲内に入るすべての特定の実施形態および均等物を含むことが意図される。
【図１】
0006299022.tif 000002
【図２】
0006299022.tif 000003
【図３】
0006299022.tif 000004
【図４】
0006299022.tif 000005
【図５】
0006299022.tif 000006
【図６】
0006299022.tif 000007
【図７Ａ】
0006299022.tif 000008
【図７Ｂ】
0006299022.tif 000009
【図７Ｃ】
0006299022.tif 000010
【図７Ｄ】
0006299022.tif 000011